Podtech/llm-jp-corpus-v4-ja_patent huggingface dataset:
【誤訳訂正書】
【提出日】令和1年5月24日(2019.5.24)
【誤訳訂正１】
【訂正対象書類名】明細書
【訂正対象項目名】００２９
【訂正方法】変更
【訂正の内容】
【００２９】
芳香族ジアルデヒド対アンモニアの等価物（導入されるアンモニアおよび／もしくはアンモニア遊離性化合物または本方法において使用されるそのような化合物の合計から形成され得る）の好ましいモル比として、１：２〜１：５０の範囲の、好ましくは１：５〜１：２０の範囲の値が設定されてもよい。
【誤訳訂正２】
【訂正対象書類名】特許請求の範囲
【訂正対象項目名】全文
【訂正方法】変更
【訂正の内容】
【特許請求の範囲】
【請求項１】
芳香族第一級アミンの製造方法であって、前記方法が、水素化触媒およびアミンの存在下で、芳香族ジアルデヒドを水素およびアンモニア、または尿素、尿酸、アンモニウム塩、対称もしくは非対称カルバメート、カルバミネート、セミカルバジド、セミカルバゾール、アミニウム塩、およびそれらの有機／無機エステルからなる群から選択されるアンモニア遊離性化合物と反応させる工程を含み、
アミンが、
メチルアミン、エチルアミン、プロピルアミン、ブチルアミン、ペンチルアミン、ヘキシルアミン、ベンジルアミン、シクロヘキシルアミン、およびエチレンジアミンからなる群から選択される第一級アミン、
ジメチルアミン、ジエチルアミン、ジエタノールアミン、ジシクロヘキシルアミン、ジアリルアミン、ピペリジン、ピロリジン、モルホリン、Ｎ−メチルベンジルアミン、およびジベンジルアミンからなる群から選択される第二級アミン、または
トリメチルアミン、トリエチルアミン、トリエタノーアミン、ジイソプロピルエチルアミン、トリシクロヘキシルアミン、トリアリルアミン、ベンジルジメチルアミン、Ｎ−メチルモルホリン、およびＮ−メチルジベンジルアミンからなる群から選択される第三級アミンであり、
芳香族ジアルデヒドに対するアミンのモル比が反応の開始時に０．２５以上である方法。
【請求項２】
第一級アミンが、メチルアミン、ブチルアミン、ペンチルアミンおよびヘキシルアミンからなる群から選択される、請求項１に記載の方法。
【請求項３】
第一級アミンが、メチルアミンおよびブチルアミンからなる群から選択される、請求項１または２に記載の方法
【請求項４】
芳香族ジアルデヒドが、２個のアルデヒド基で置換された少なくとも１つのフラン環を有する、請求項１〜３のいずれか一項に記載の方法。
【請求項５】
芳香族ジアルデヒドに対するアミンのモル比が、反応の開始時に、０．２５以上である、請求項１〜４のいずれか一項に記載の方法。
【請求項６】
芳香族ジアルデヒドに対するアミンのモル比が、反応の開始時に、０．５以上である、請求項１〜５のいずれか一項に記載の方法。
【請求項７】
芳香族ジアルデヒドに対するアミンのモル比が、反応の開始時に、１以上である、請求項１〜６のいずれか一項に記載の方法。
【請求項８】
芳香族ジアルデヒドに対するアミンのモル比が、反応の開始時に、４以下である、請求項１〜７のいずれか一項に記載の方法。
【請求項９】
芳香族ジアルデヒドに対するアミンのモル比が、反応の開始時に、３以下である、請求項１〜８のいずれか一項に記載の方法。
【請求項１０】
芳香族ジアルデヒドに対するアミンのモル比が、反応の開始時に、２以下である、請求項１〜９のいずれか一項に記載の方法。
【請求項１１】
尿素、尿酸、アンモニウム塩、対称もしくは非対称カルバメート、カルバミネート、セミカルバジド、セミカルバゾール、アミニウム塩、およびそれらの有機／無機エステルからなる群から選択されるアンモニア遊離性化合物が使用される、請求項１〜１０のいずれか一項に記載の方法。
【請求項１２】
アンモニアが使用される、請求項１〜１１のいずれか一項に記載の方法。
【請求項１３】
芳香族ジアルデヒド対アンモニアのモル比が、１：２〜１：５０の範囲にあり、アンモニアが、導入されたアンモニアおよび／またはアンモニア遊離性化合物から形成されたアンモニアである、請求項１〜１２のいずれか一項に記載の方法。
【請求項１４】
芳香族ジアルデヒド対アンモニアのモル比が、１：５〜１：２０の範囲にあり、アンモニアが、導入されたアンモニアおよび／またはアンモニア遊離性化合物から形成されたアンモニアである、請求項１〜１３のいずれか一項に記載の方法。
【請求項１５】
芳香族ジアルデヒドが、芳香族ジアルデヒドに対するアミンのモル比が反応の全体にわたって０．２５以上であることを確実にするためのやり方で供給される、請求項１〜１４のいずれか一項に記載の方法。
【請求項１６】
芳香族ジアルデヒドが、芳香族ジアルデヒドに対するアミンのモル比が反応の全体にわたって０．２５〜２の範囲にあることを確実にするためのやり方で供給される、請求項１〜１５のいずれか一項に記載の方法。
【請求項１７】
芳香族ジアルデヒドが、芳香族ジアルデヒドに対するアミンのモル比が反応の全体にわたって１〜２の範囲にあることを確実にするためのやり方で供給される、請求項１〜１６のいずれか一項に記載の方法。
【請求項１８】
反応温度が、４０〜２００℃の範囲にある、請求項１〜１７のいずれか一項に記載の方法。
【請求項１９】
反応温度が、１００〜１５０℃の範囲にある、請求項１〜１８のいずれか一項に記載の方法。
【請求項２０】
芳香族ジアミンが２，５−ビス（アミノメチル）フランであり、芳香族ジアルデヒドが２，５−ジホルミルフランである、請求項１〜１９のいずれか一項に記載の方法。
【誤訳訂正書】
【提出日】平成30年12月28日(2018.12.28)
【誤訳訂正１】
【訂正対象書類名】明細書
【訂正対象項目名】０００９
【訂正方法】変更
【訂正の内容】
【０００９】
Ｔ１は、ＮまたはＣ（Ｒ０１）から選択され、
Ｔ２は、-Ｎ（Ｒ０１）-、Ｏ、Ｓ（＝Ｏ）２または-ＣＨ（ＮＲ０１Ｒ０２）-から選択され、
Ｒ０１またはＲ０２は、それぞれ独立にＨ、または１、２または３個のハロゲン、ヒドロキシ基及び/又はシアノ基に置換されたいずれかのＣ１-６アルキル基、Ｃ１-６ ヘテロアルキル基、Ｃ３-６シクロアルキル基-（ＣＨ２）０-３-及びＣ３-６ ヘテロシクロアルキル基-（ＣＨ２）０-３-から選択され、ここで前記「ヘテロ」は、Ｏ、Ｓ、Ｎ、Ｓ（＝Ｏ）２及び/又はＳ（＝Ｏ）から１、２または３個が選択されたことを表し、
Ｔ２上のいずれかのＲ０１とＲ０２が、互いに同じＮに結合されて、一個の３〜６員環を形成し、前記環には、１、２または３個のヘテロ原子が含まれ、前記ヘテロ原子は、Ｏ、Ｓ及びＮから選択され、
Ｄ１〜Ｄ４は、それぞれ独立に-（ＣＲ１Ｒ２）１-３-、Ｏ、Ｓ、Ｃ（＝Ｏ）、Ｓ（＝Ｏ）２及びＳ（＝Ｏ）から選択され、
Ｄは、-Ｎ（Ｒ０１）-、-Ｏ-及び-Ｓ-から選択され、
Ｗは、＝Ｏ、＝Ｓ、＝Ｎ（ＣＮ）及び＝Ｎ（ＯＭｅ）から選択され、
Ｒ３は、Ｒ０３、ＯＲ０３及びＳＲ０３から選択され、
Ｒ０３は、Ｃ１-４アルキル基、Ｃ１-４ ハロアルキル基及びＣ３-５シクロアルキル基-（ＣＨ２）０-３-から選択され、
Ｚは、Ｎ及びＣ（Ｒ４）から選択され、
Ｘ１は、Ｃ（Ｒｘ１）及びＮから選択され、
Ｘ２は、Ｃ（Ｒｘ２）及びＮから選択され、
Ｒｘ１、Ｒｘ２、Ｒ１、Ｒ２及びＲ４は、それぞれ独立にＨ、Ｆ、Ｃｌ、Ｂｒ、Ｉ、ＣＮ、ＯＨ、ＳＨ、ＮＨ２、または１、２または３個のハロゲン、ヒドロキシ基及び/又はシアノ基に置換されたいずれかのＣ１-６アルキル基、Ｃ１-６ ヘテロアルキル基、Ｃ３-６シクロアルキル基-（ＣＨ２）０-３-及びＣ３-６ ヘテロシクロアルキル基-（ＣＨ２）０-３-から選択され、ここで前記「ヘテロ」は、１、２、または３個のヘテロ原子を表し、前記ヘテロ原子は、Ｏ、Ｓ及びＮから選択され、
又は、任意的に、Ｒｘ１及びＲｘ２は、互いに同じ原子に連結して５−６員環を形成してもよく、前記５−６員環は、Ｏ、Ｓ、及びＮから選ばれる１、２又は３のヘテロ原子を含み、
Ｒｐ１及びＲｐ２は、それぞれ独立にＨ、Ｃ１-４アルキル基とＣ１-４ ハロアルキル基とから選択され、
任意に、Ｒｐ１及びＲｐ２は、互いに同じＰに結合されて、１個の５〜６員環を形成し、前記環には、１、２または３個のヘテロ原子が含まれ、前記ヘテロ原子は、いずれかのＯ、Ｓ、Ｎ及びＰから選択され、及びＺと
【誤訳訂正２】
【訂正対象書類名】特許請求の範囲
【訂正対象項目名】請求項１
【訂正方法】変更
【訂正の内容】
【請求項１】
【化１】
2017521436.tif 000001
Ｔ１は、ＮまたはＣ（Ｒ０１）から選択され、
Ｔ２は、-Ｎ（Ｒ０１）-、Ｏ、Ｓ（＝Ｏ）２または-ＣＨ（ＮＲ０１Ｒ０２）-から選択され、
Ｒ０１またはＲ０２は、それぞれ独立にＨ、または１、２または３個のハロゲン、ヒドロキシ基及び/又はシアノ基に置換されたいずれかのＣ１-６アルキル基、Ｃ１-６ ヘテロアルキル基、Ｃ３-６シクロアルキル基-（ＣＨ２）０-３-及びＣ３-６ヘテロシクロアルキル基-（ＣＨ２）０-３-から選択され、ここで前記「ヘテロ」は、Ｏ、Ｓ、Ｎ、Ｓ（＝Ｏ）２及び/又はＳ（＝Ｏ）から１、２または３個が選択されたことを表し、
Ｔ２上のいずれかのＲ０１とＲ０２が、互いに同じＮに結合されて、一個の３〜６員環を形成し、前記環には、１、２または３個のヘテロ原子が含まれ、前記ヘテロ原子は、Ｏ、Ｓ及びＮから選択され、
Ｄ１〜Ｄ４は、それぞれ独立に-（ＣＲ１Ｒ２）１-３-、Ｏ、Ｓ、Ｃ（＝Ｏ）、Ｓ（＝Ｏ）２及びＳ（＝Ｏ）から選択され、
Ｄは、-Ｎ（Ｒ０１）-、-Ｏ-及び-Ｓ-から選択され、
Ｗは、＝Ｏ、＝Ｓ、＝Ｎ（ＣＮ）及び＝Ｎ（ＯＭｅ）から選択され、
Ｒ３は、Ｒ０３、ＯＲ０３及びＳＲ０３から選択され、
Ｒ０３は、Ｃ１-４アルキル基、Ｃ１-４ ハロアルキル基及びＣ３-５シクロアルキル基-（ＣＨ２）０-３-から選択され、
Ｚは、Ｎ及びＣ（Ｒ４）から選択され、
Ｘ１は、Ｃ（Ｒｘ１）及びＮから選択され、
Ｘ２は、Ｃ（Ｒｘ２）及びＮから選択され、
Ｒｘ１、Ｒｘ２、Ｒ１、Ｒ２及びＲ４は、それぞれ独立にＨ、Ｆ、Ｃｌ、Ｂｒ、Ｉ、ＣＮ、ＯＨ、ＳＨ、ＮＨ２、または１、２または３個のハロゲン、ヒドロキシ基及び/又はシアノ基に置換されたいずれかのＣ１-６アルキル基、Ｃ１-６ ヘテロアルキル基、Ｃ３-６シクロアルキル基-（ＣＨ２）０-３-及びＣ３-６ ヘテロシクロアルキル基-（ＣＨ２）０-３-から選択され、ここで前記「ヘテロ」は、１、２、または３個のヘテロ原子を表し、前記ヘテロ原子は、Ｏ、Ｓ及びＮから選択され、
又は、任意的に、Ｒｘ１及びＲｘ２は、互いに同じ原子に連結して５−６員環を形成してもよく、前記５−６員環は、Ｏ、Ｓ、及びＮから選ばれる１、２又は３のヘテロ原子を含み、
Ｒｐ１及びＲｐ２は、それぞれ独立にＨ、Ｃ１-４アルキル基とＣ１-４ ハロアルキル基とから選択され、
任意に、Ｒｐ１及びＲｐ２は、互いに同じＰに結合されて、１個の５〜６員環を形成し、前記環には、１、２または３個のヘテロ原子が含まれ、前記ヘテロ原子は、いずれかのＯ、Ｓ、Ｎ及びＰから選択され、及び
Ｚと
【化２】
2017521436.tif 000002
の位置は、任意に置換されることができることを特徴とする式（Ｉ）で示される化合物またはその薬学的に許容される塩。
【誤訳訂正３】
【訂正対象書類名】特許請求の範囲
【訂正対象項目名】請求項１２
【訂正方法】変更
【訂正の内容】
【請求項１２】
技術方案Ａにおいて、Ｔ１は、Ｎを表し、Ｔ２は、ＮＨを表し、
技術方案Ｃにおいて、Ｔ１は、ＣＨを表し、Ｔ２は、ＮＨを表し、その製造経路は、
【化１２】
2017521436.tif 000003
技術方案ＡまたはＣに示したようであり、ここでＰＧはアミノ基の保護基であり、選択的に、ＢＯＣ、Ｂｎ及びＣｂｚから選択され、他の変数は、前記請求項によって、定義されることを特徴とする請求項１に記載の式（Ｉ）の化合物の製造方法。
【誤訳訂正書】
【提出日】平成30年11月16日(2018.11.16)
【誤訳訂正１】
【訂正対象書類名】特許請求の範囲
【訂正対象項目名】請求項５
【訂正方法】変更
【訂正の内容】
【請求項５】
配列番号３に記載のアミノ酸またはその生物学的に活性な断片を含む単離されたＷＵＳＣＨＥＬ関連ホメオボックス４ポリペプチドであって、前記ポリペプチドが、開始、形成、増強、および変形を触媒することから成る群より選択される機能を含み、それにより、前記植物シマツナソにおける師部繊維の組成を改変する、ポリペプチド。
【誤訳訂正２】
【訂正対象書類名】特許請求の範囲
【訂正対象項目名】請求項８
【訂正方法】変更
【訂正の内容】
【請求項８】
配列番号６に記載のアミノ酸配列またはその生物学的に活性な断片を含む単離されたＷＵＳＣＨＥＬ関連ホメオボックス４ポリペプチドであって、前記ポリペプチドが、開始、形成、増強、および変形を触媒することから成る群より選択される一つ以上の機能を含み、それにより、前記植物コウマにおける師部繊維の組成を改変する、ポリペプチド。
【誤訳訂正３】
【訂正対象書類名】明細書
【訂正対象項目名】０００８
【訂正方法】変更
【訂正の内容】
【０００８】
本発明の一態様は、特に、靱皮繊維形成の開始を触媒することに関与するシマツナソおよびコウマに由来するタンパク質をコードし、かつＷＵＳＣＨＥＬ関連ホメオボックス４（ＷＯＸ４）様配列を有する遺伝子を提供することである。より具体的には、本発明は、師部繊維を誘導する能力を有し、それ故に、それによりコードされたタンパク質を提供する遺伝子、およびその使用を提供する。
【誤訳訂正４】
【訂正対象書類名】明細書
【訂正対象項目名】００１３
【訂正方法】変更
【訂正の内容】
【００１３】
本発明は、師部繊維形成の開始を触媒することに関与する、配列番号３に記載のアミノ酸配列を有し、かつＷＵＳＣＨＥＬ関連ホメオボックス４（ＷＯＸ４）様配列を有するタンパク質をコードするシマツナソから単離された遺伝子を提供する。本発明はまた、師部繊維形成の開始を触媒することに関与する、配列番号３に記載のアミノ酸配列において、１つもしくは複数のアミノ酸の付加もしくは欠失、および／または他のアミノ酸との置換により修飾された アミノ酸配列を有し、かつＷＵＳＣＨＥＬ関連ホメオボックス４（ＷＯＸ４）様配列を有 するタンパク質をコードする遺伝子をさらに提供する。本発明は、配列番号１に記載の核酸、具体的には、そのＤＮＡもしくはその一部をハイブリダイズし、かつ師部繊維形成の開始を触媒することに関与し、かつＷＵＳＣＨＥＬ関連ホメオボックス４（ＷＯＸ４）様配列を有するタンパク質をコードする遺伝子をさらに提供する。
【誤訳訂正５】
【訂正対象書類名】明細書
【訂正対象項目名】００１４
【訂正方法】変更
【訂正の内容】
【００１４】
本発明は、師部繊維形成の開始を触媒することに関与する、配列番号６に記載のアミノ酸配列を有し、かつＷＵＳＣＨＥＬ関連ホメオボックス４（ＷＯＸ４）様配列を有するタンパク質をコードするコウマから単離された遺伝子も提供する。本発明はまた、師部繊維形成の開始を触媒することに関与する、配列番号６に記載のアミノ酸配列において、１つもしくは複数のアミノ酸の付加もしくは欠失、および／または他のアミノ酸との置換により修飾されたアミノ酸配列を有し、かつＷＵＳＣＨＥＬ関連ホメオボックス４（ＷＯＸ４）様配列を有するタンパク質をコードする遺伝子をさらに提供する。本発明は、配列番号４に記載の核酸、具体的には、そのＤＮＡまたはその一部をハイブリダイズし、かつ師部繊維形成の開始を触媒することに関与し、ＷＵＳＣＨＥＬ関連ホメオボックス４（ＷＯＸ４）様配列を有するタンパ ク質をコードする遺伝子をさらに提供する。
【誤訳訂正６】
【訂正対象書類名】明細書
【訂正対象項目名】００５０
【訂正方法】変更
【訂正の内容】
【００５０】
本明細書に使用される、「生物学的に活性な部分」は、植物シマツナソおよびコウマにおいて師部繊維の組成における開始、形成、増強、または変形を触媒するための生物学的活性を有するＷＵＳＣＨＥＬ関連ホメオボックス４タンパク質の断片を指し得る。ＷＵＳＣＨＥＬ関連ホメオボックス４タンパク質の生物学的に活性な部分には、ＷＵＳＣＨＥＬ関連ホメオボックス４タンパク質のアミノ酸配列と同一であるか、またはそれに由来するのに十分なアミノ酸配列、例えば、配列番号３または配列番号６に記載 のアミノ酸配列を含むペプチドまたはポリペプチドが含まれ、これには、完全長ＷＵＳＣ ＨＥＬ関連ホメオボックス４タンパク質よりも少ないアミノ酸が含まれ、ＷＵＳＣＨＥＬ 関連ホメオボックス４タンパク質の少なくとも１つの活性を示す。典型的には、生物学的に活性な部分は、ＷＵＳＣＨＥＬ関連ホメオボックス４タンパク質の少なくとも１つの活 性を有するドメインまたはモチーフを含む。ＷＵＳＣＨＥＬ関連ホメオボックス４タンパク質の生物学的に活性な部分は、例えば、２１０、２１１、２１２、２１３、２１４、２ １５、２１６、２１７、２１８、２１９、２２０、２２１、２２２、または２２３のアミ ノ酸長であるポリペプチドであり得る。ＷＵＳＣＨＥＬ関連ホメオボックス４タンパク質は、配列番号３または配列番号６に記載のアミノ酸配列を有し得る。他の実施形態におい て、ＷＵＳＣＨＥＬ関連ホメオボックス４タンパク質は、配列番号３または配列番号６と 実質的に同一であり、配列番号３または配列番号６のタンパク質の機能的活性を保持するが、天然対立遺伝子変異または突然変異誘発によりアミノ酸配列の点で異なる。別の実施 形態において、ＷＵＳＣＨＥＬ関連ホメオボックス４タンパク質は、配列番号３または配列番号６と少なくとも約９５％、９６％、９７％、９８％、９９％、９９．１％、９９．２％、９９．３％、９９．４％、９９．５％、９９．６％、９９．７％、９９．８％、９９．９％またはそれ以上同一であるアミノ酸配列を含む。
【誤訳訂正７】
【訂正対象書類名】明細書
【訂正対象項目名】００８８
【訂正方法】変更
【訂正の内容】
【００８８】
本発明の別の態様は、配列番号３に記載のアミノ酸配列またはその生物学的に活性な断片を含む単離されたＷＵＳＣＨＥＬ関連ホメオボックス４ポリペプチドに関し、前記ポリペプチドは、開始、形成、増強、および変形を触媒することから成る群より選択される機能を含み、それにより、植物シマツナソにおける師部繊維の組成を改変する
【誤訳訂正８】
【訂正対象書類名】明細書
【訂正対象項目名】００９１
【訂正方法】変更
【訂正の内容】
【００９１】
本発明の別の態様は、配列番号６に記載のアミノ酸配列またはその生物学的に活性な断 片を含む単離されたＷＵＳＣＨＥＬ関連ホメオボックス４ポリペプチドに関し、前記ポリペプチドは、開始、形成、増強、および変形を触媒することから成る群より選択される一つ以上の機能を含み、それにより、植物コウマにおける師部繊維の組成を改変する。
【誤訳訂正書】
【提出日】令和1年7月2日(2019.7.2)
【誤訳訂正１】
【訂正対象書類名】特許請求の範囲
【訂正対象項目名】全文
【訂正方法】変更
【訂正の内容】
【特許請求の範囲】
【請求項１】
スイッチ（４）に対して外部の弁またはアクチュエータ等のアクチュエータ装置に動作的に接続された、回転軸（ｘ−ｘ）周りに回転する軸（１２）を、回転可能に収容する内部空間（１０）が画成されたスイッチ本体（８）と、
前記スイッチ本体（８）の前記内部空間（１０）の外側に配置された分配弁（３２）であって、前記外部のアクチュエータ装置に空気圧で接続可能な分配弁（３２）と、
空気圧コネクタ（３６）と、
該空気圧コネクタ（３６）に動作的に接続された少なくとも１つのソレノイド等の制御手段（４０）と
を備え、
前記空気圧コネクタ（３６）は、前記スイッチ本体（８）の壁（４８）に少なくとも部分的に接して配置されてあり、
前記制御手段（４０）は、前記スイッチ本体（８）の前記内部空間（１０）内に配置されてあり、
前記制御手段（４０）は、前記制御手段と異なる外部の制御装置に動作的に接続されてあり、前記分配弁（３２）は、前記外部のアクチュエータに空気圧で接続可能であると共に、前記制御手段（４０）が前記分配弁（３２）を選択的に動作させることを可能にするよう、前記空気圧コネクタ（３６）によって前記制御手段（４０）に動作的に接続されているロータリースイッチ（４）であって、
前記空気圧コネクタ（３６）は、前記分配弁（３２）を前記制御手段（４０）と流体接続するよう配置する少なくとも１つの接続チャネル（４４）を画成し、該接続チャネル（４４）は前記空気圧コネクタ（３６）を横断して配置され、該空気圧コネクタ（３６）は前記スイッチ本体（８）の側壁（４８）を横断して配置され、
前記接続チャネル（４４）の内側には、少なくとも１つの耐爆手段（５２）が、挿入されているとともに、前記接続チャネル（４４）の貫通断面（５６）を該接続チャネル（４４）の所定の長さだけ減少させるよう該接続チャネル（４４）の同軸上に配置され、
前記耐爆または防塵手段（５２）においては、前記貫通断面（５６）は、前記接続チャネル（４４）の内側の側壁（６０）と前記耐爆手段（５２）の外側の側壁（６４）との間に画成された
ことを特徴とするロータリースイッチ（４）。
【請求項２】
前記耐爆または防塵手段（５２）は、螺旋状のパターンを有する前記貫通断面（５６）を画成するよう前記接続チャネル（４４）の前記内側の側壁（６０）に設けられた対応するねじ山にねじ止めされたメートルナットまたはメートルねじ（６８）である、請求項１記載のスイッチ（４）。
【請求項３】
前記耐爆または防塵手段（５２）は、前記貫通断面５６を画成し、前記接続チャネル（４４）と前記同軸上に配置された校正済みシリンダ（７２）を含む、請求項１または２記載のスイッチ（４）。
【請求項４】
前記スイッチ（４）は、前記分配弁（３２）と前記空気圧コネクタ（３６）とを接続する第１の機械的接続手段（７６）を含み、該第１の機械的接続手段（７６）は、前記スイッチ本体（８）の側壁（４８）に沿って配置された、請求項１から３いずれか一項記載のスイッチ（４）。
【請求項５】
前記スイッチ（４）は、前記分配弁（３２）と前記スイッチ本体（８）との間の第２の機械的接続手段（８４）を含み、該第２の機械的接続手段（８４）は、前記分配弁（３２）を前記スイッチ本体（８）、又は前記スイッチ本体（８）の前記側壁（４８）に接続して、これら２つの構成要素間の堅固な接続を設ける機能を有する、請求項１から４のいずれか一項記載のスイッチ（４）。
【請求項６】
前記第２の機械的接続手段（８４）は、前記内部空間（１０）から前記スイッチ本体（８）の外側へと気体及び火炎の少なくとも一方が出るのを防止するよう、前記スイッチ本体（８）の前記側壁（４８）内に、密閉するよう係合するねじ式の接続手段である、請求項５記載のスイッチ（４）。
【請求項７】
前記第２の機械的接続手段（８４）は、前記スイッチ本体（８）の外側から前記内部空間（１０）に塵が侵入するのを防止するよう、前記スイッチ本体（８）の前記側壁（４８）内に、密閉するよう係合するねじ式の接続手段である、請求項５又は６記載のスイッチ（４）。
【請求項８】
前記第１の機械的接続手段（７６）は、前記内部空間（１０）から前記スイッチ本体（８）の外側へと気体及び火炎の少なくとも一方が出るのを防止するよう、並びに前記スイッチ本体（８）の外側から前記内部空間（１０）に塵が侵入するのを防止するよう、前記空気圧コネクタ（３６）に、前記分配弁を密閉係合するねじ式の接続手段である、請求項４記載のスイッチ（４）。
【請求項９】
前記分配弁（３２）と前記耐爆手段（５２）との間に空気フィルタ手段（８８）が挿入されている、請求項１から８のいずれか一項記載のスイッチ（４）。
【請求項１０】
前記分配弁（３２）と前記耐爆手段（５２）との間に密閉手段（９０）が挿入されている、請求項１から９のいずれか一項記載のスイッチ（４）。
【請求項１１】
前記空気圧コネクタ（３６）内の前記接続チャネル（４４）の内側に前記空気フィルタ手段（８８）または前記密閉（９０）手段が挿入されている、請求項９または１０記載のスイッチ（４）。
【請求項１２】
前記空気フィルタ手段（８８）が多孔性のフィルタを含み、前記密閉手段（９０）がＯリングタイプのガスケットを含む、請求項９から１１のいずれか一項記載のスイッチ（４）。
【請求項１３】
前記空気圧コネクタ（３６）と前記スイッチ本体（８）の側壁（４８）との間に密閉要素（９１）が配置される、請求項１から１２のいずれか一項記載のスイッチ（４）。
【請求項１４】
前記密閉要素（９１）がＯリングタイプのガスケットを含む、請求項１３記載のスイッチ（４）。
【請求項１５】
前記空気圧コネクタ（３６）は、前記内部空間（１０）の内側で爆発が生じた場合に、前記コネクタ（３６）と前記側壁（４８）との間の接続ジョイントが火炎を外に出させないことを確実にするサイズである、請求項１から１４のいずれか一項記載のスイッチ（４）。
【請求項１６】
前記スイッチ本体（８）を閉じるよう接合されたカバー（２８）であって、前記スイッチ（４）の外側からの前記軸（１２）の角度位置及び動作状態の少なくとも一方の視覚的信号を可能にするよう、前記軸（１２）と共に回転するよう該軸（１２）に接合されたインジケータ（２８）が嵌められたカバー（２８）を含む、請求項１から１５のいずれか一項記載のスイッチ（４）。
【誤訳訂正２】
【訂正対象書類名】明細書
【訂正対象項目名】００４４
【訂正方法】変更
【訂正の内容】
【００４４】
更に別の実施形態（図７〜図９）によれば、耐爆手段５２は、円形のクラウン部の形状の貫通断面５６を画成するよう接続チャネル４４と同軸上に配置された校正済みシリンダ７２を含む。
【手続補正書】
【提出日】令和1年7月20日(2019.7.20)
【手続補正１】
【補正対象書類名】特許請求の範囲
【補正対象項目名】全文
【補正方法】変更
【補正の内容】
【特許請求の範囲】
【請求項１】
固化したモノリス形状の加工木材製品であって、加工中に架橋した熱可塑性接着剤により、接着接合した複数の天然木片を含み、
前記加工木材製品は、高温でその固化形状を保持し、
架橋した熱可塑性接着剤は、加工木材製品の通常の使用温度以下のガラス転移点を有する、ことを特徴とする加工木材製品。
【請求項２】
加工木材製品中の架橋した熱可塑性接着剤は30℃未満のガラス転移点を有する、ことを特徴とする請求項1に記載の加工木材製品。
【請求項３】
加工木材製品中の架橋した熱可塑性接着剤は20℃未満のガラス転移点を有する、ことを特徴とする請求項1に記載の加工木材製品。
【請求項４】
複数の天然木片は、隣接する木片同士が互いの形状に適合するように、加工中、機械的に変形される、ことを特徴とする請求項1に記載の加工木材製品。
【請求項５】
加工木材製品は15重量% (w/w)未満の接着剤を含有する、ことを特徴とする請求項1に記載の加工木材製品。
【請求項６】
固化したモノリス形状の加工木材製品であって、加工中に架橋した熱可塑性接着剤により、接着接合した複数の天然木片を含み、
架橋した熱可塑性接着剤は、加工木材製品の通常の使用温度以下のガラス転移点を有し、
組み立てられた各木片のベニヤ断面は圧縮前と圧縮後で異なる、ことを特徴とする加工木材製品。
【請求項７】
加工木材製品中の架橋した熱可塑性接着剤は、30℃未満のガラス転移点を有する、ことを特徴とする請求項６に記載の加工木材製品。
【請求項８】
加工木材製品中の架橋した熱可塑性接着剤は、20℃未満のガラス転移点を有する、ことを特徴とする請求項６に記載の加工木材製品。
【請求項９】
複数の天然木片は、木片同士が互いの形状に適合するように機械的に変形された、ことを特徴とする請求項６に記載の加工木材製品。
【請求項１０】
加工木材製品は、15重量% (w/w)未満の接着剤を含有する、ことを特徴とする請求項６に記載の加工木材製品。
【請求項１１】
加工木材製品の製造方法であって、
平衡含水量を実質的に有する複数の天然木片を供給する工程と、
熱可塑性樹脂と架橋剤を含有する熱可塑性接着剤を木片に塗布して、接着剤塗布木片を形成する工程と、
接着剤塗布木片を望ましい形状に組み立てて、組み立て接着剤塗布木片を形成する工程と、
組み立てられた木片を圧縮成形するのに十分な圧力と時間で、組み立て接着塗布木片をプレス機にて圧縮することにより、閉じ込められた空気を外に押し出し、組み立て接着剤塗布木片を機械的に変形させ、隣接する木片同士を互いの形状に適合させる工程と、
圧縮工程において熱可塑性接着剤を少なくとも臨界架橋量まで架橋して、少なくとも部分的に硬化した加工木材製品を形成する工程であって、加工木材製品中の架橋した熱可塑性接着剤は、加工木材製品の通常の使用温度以下のガラス転移点を有し、前記臨界架橋量は、少なくとも部分的に硬化した加工木材製品がその圧縮形状を実質的に維持し、圧縮工程において圧力解放時に木片が膨張した初期状態に戻ることを防ぐのに十分な臨界量である工程と、
少なくとも部分的に硬化した加工木材製品をプレス機から取り外す工程と、を含む
ことを特徴とする加工木材製品の製造方法。
【請求項１２】
接着剤を塗布する工程に続き、接着剤塗布木片を加熱する加熱工程を含み、
前記加熱工程では、接着剤塗布木片を加熱して接着剤を乾燥させ、接着剤塗布木片中の平衡な含水量を実質的に維持する、ことを特徴とする請求項１１に記載の方法。
【請求項１３】
少なくとも部分的に硬化した加工木材製品をプレス機から取り外す工程に続き、部分的に硬化した加工木材製品をさらに硬化させる硬化工程を含み、
前記硬化工程では、実質的に平衡な含水量となるように加工木材製品を硬化させる、ことを特徴とする請求項１１に記載の方法。
【請求項１４】
組み立てられた各木片のベニヤ断面は、圧縮前と圧縮後で異なる、ことを特徴とする請求項１１に記載の方法。
【請求項１５】
熱可塑性樹脂および架橋剤を含有する熱可塑性接着剤は、水性エマルジョンである、ことを特徴とする請求項１１に記載の方法。
【請求項１６】
接着剤塗布木片は、モールド内で望ましい形状に組み立てられる、ことを特徴とする請求項１１に記載の方法。
【請求項１７】
架橋は圧縮ステップ中に加熱することにより開始する、ことを特徴とする請求項１１に記載の方法。
【請求項１８】
少なくとも部分的に硬化した加工木材製品は、雰囲気温度に冷却する前にモールドから取り外される、ことを特徴とする請求項１１に記載の方法。
【請求項１９】
繊維方向における木片の長さが加工木材製品の長さと実質的に同一になる形状に、接着剤塗布木片または乾燥させた接着剤塗布木片を組み立てて、組み立て木片を形成する工程を含む、ことを特徴とする請求項１１に記載の方法。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
式Ｉの構造：
【化１】
2018528165.tif 000001
［式中、Ｒ１が水素原子を含む場合、Ｒ３は、１〜２０個の炭素原子を含むアルコキシ基又はアリールオキシ基を含み、各Ｒ２、Ｒ４、Ｒ５、Ｒ６、Ｒ７、及びＲ８は独立して、水素原子、アルキル基、アルケニル基、アリール基、又はハロゲン原子を含み、又は
Ｒ１が−Ｏ−Ｒ９、−Ｎ−Ｒ９Ｒ１０、−Ｂ（ＯＲ１８）（ＯＲ１９）基、又は−ＳｉＲ２０３基を含む場合、Ｒ９は、水素原子、アルキル基、アルケニル基、アリール基、又は１つ以上の酸素、窒素、硫黄若しくはリン原子を含むヘテロ原子含有基を含み、Ｒ１０は、水素原子、アルキル基、アルケニル基、アリール基、又は１つ以上の酸素、窒素、硫黄若しくはリン原子を含むヘテロ原子含有基を含むか、又はＲ９及びＲ１０は結合している原子と一緒に複素環構造を形成し、各Ｒ１８及びＲ１９は独立して、水素原子、アルキル基、アリール基であるか、又はＲ１８及びＲ１９は結合している原子と一緒に複素環構造を形成し、各Ｒ２０基はアルキル基であり、
各Ｒ２、Ｒ３、Ｒ４、Ｒ５、Ｒ６、Ｒ７、及びＲ８は独立して、水素原子、アルキル基、アルケニル基、アリール基、又はハロゲン原子を含む］を有する置換ベンゾトリアゾールフェノールを含む組成物。
【請求項２】
式ＩＩの構造：
【化２】
2018528165.tif 000002
［式中、Ｘは、−Ｏ−、−ＮＲ１０−、−Ｓ（Ｏ）−、−Ｓ（Ｏ）２−、又は−Ｓ−連結基を含み、Ｒ１０は、水素原子、アルキル基、又はアリール基を含み、
各Ｒ２、Ｒ３、Ｒ４、Ｒ５、Ｒ６、Ｒ７、Ｒ８、Ｒ１１、Ｒ１２、Ｒ１３、Ｒ１４、Ｒ１５、Ｒ１６、及びＲ１７は独立して、水素原子、アルキル基、アルケニル基、アリール基、又はハロゲン原子を含む］を含む、請求項１に記載の組成物。
【請求項３】
一般構造式ＩＩＩ又は式ＩＶ：
【化３】
2018528165.tif 000003
［式中、Ｐ基は、アルキル、置換アルキル、又はシリル基を含む保護基であり、
Ｒ１が水素原子を含む場合、Ｒ３は、１〜２０個の炭素原子を含むアルコキシ基又はアリールオキシ基を含み、各Ｒ２、Ｒ４、Ｒ５、Ｒ６、Ｒ７、及びＲ８は独立して、水素原子、アルキル基、アルケニル基、アリール基、又はハロゲン原子を含み、又は
Ｒ１が−Ｏ−Ｒ９、−Ｎ−Ｒ９Ｒ１０、−Ｂ（ＯＲ１８）（ＯＲ１９）基、又は−ＳｉＲ２０３基を含む場合、Ｒ９は、水素原子、アルキル基、アルケニル基、アリール基、又は１つ以上の酸素、窒素、硫黄若しくはリン原子を含むヘテロ原子含有基を含み、Ｒ１０は、水素原子、アルキル基、アルケニル基、アリール基、又は１つ以上の酸素、窒素、硫黄若しくはリン原子を含むヘテロ原子含有基を含むか、又はＲ９及びＲ１０は結合している原子と一緒に複素環構造を形成し、各Ｒ１８及びＲ１９は独立して、水素原子、アルキル基、アリール基であるか、又はＲ１８及びＲ１９は結合している原子と一緒に複素環構造を形成し、各Ｒ２０基はアルキル基であり、
各Ｒ２、Ｒ３、Ｒ４、Ｒ５、Ｒ６、Ｒ７、及びＲ８は独立して、水素原子、アルキル基、アルケニル基、アリール基、又はハロゲン原子を含む］、
又は
【化４】
2018528165.tif 000004
［式中、Ｐ基は、アルキル、置換アルキル、又はシリル基を含む保護基であり、
Ｘは、−Ｏ−、−ＮＲ１０−、−Ｓ（Ｏ）−、又は−Ｓ−連結基を含み、Ｒ１０は、水素原子、アルキル基、又はアリール基を含み、
各Ｒ２、Ｒ３、Ｒ４、Ｒ５、Ｒ６、Ｒ７、Ｒ８、Ｒ１１、Ｒ１２、Ｒ１３、Ｒ１４、Ｒ１５、Ｒ１６、及びＲ１７は独立して、水素原子、アルキル基、アルケニル基、アリール基、又はハロゲン原子を含む］を含む、保護された置換ベンゾトリアゾールフェノールを含む組成物。
【請求項４】
置換ベンゾトリアゾールフェノールを調製する方法であって、
式ＩＩＩ：
【化５】
2018528165.tif 000005
（式中、Ｐ基は、アルキル、置換アルキル、又はシリル基を含む保護基であり、
Ｒ１は、ハロゲン原子、トリフラート基、トシラート基、又はスルホネート基から選択される脱離基を含み、
各Ｒ２、Ｒ３、Ｒ４、Ｒ５、Ｒ６、Ｒ７、及びＲ８は独立して、水素原子、アルキル基、アルケニル基、アリール基、又はハロゲン原子を含む）の保護されたフェノール化合物を準備することと、
一般式Ｒ２１−Ｚ−Ｘ−Ｈ
［式中、Ｒ２１は、水素原子、アルキル基、アルケニル基、アリール基、又はハロゲン原子を含み、
Ｚは、アルキル基若しくはアリール基、又は単結合を含み、
Ｘは、−Ｏ−、−ＮＲ１０−、−Ｓ（Ｏ）−、又は−Ｓ−連結基を含み、Ｒ１０は、水素原子、アルキル基、又はアリール基を含む］を有する化合物を準備することと、
少なくとも１種のパラジウム−ホスフィン錯体を含むパラジウム系触媒を準備することと、
少なくとも１種の塩基を準備することと、
少なくとも１種の溶媒を準備することと、
前記式ＩＩＩの保護されたフェノール化合物、前記一般式Ｒ２１−Ｚ−Ｘ−Ｈの化合物、前記パラジウム系触媒、前記少なくとも１種の塩基、及び前記少なくとも１種の溶媒を混合して、反応混合物を形成することと、
前記反応混合物を少なくとも１００℃の温度まで加熱して、カップリング反応を起こすことと、を含む、方法。
【請求項５】
前記一般式Ｒ２１−Ｚ−Ｘ−Ｈの化合物は、式ＩＩＩａ：
【化６】
2018528165.tif 000006
［式中、Ｒ１は、−ＸＨ基を含み、Ｘは、−Ｏ−、−ＮＲ１０−、−Ｓ（Ｏ）−、又は−Ｓ−連結基を含み、Ｒ１０は、水素原子、アルキル基、又はアリール基を含み、
Ｐ基は、アルキル、置換アルキル、又はシリル基を含む保護基であり、
各Ｒ２、Ｒ３、Ｒ４、Ｒ５、Ｒ６、Ｒ７、及びＲ８は独立して、水素原子、アルキル基、アルケニル基、アリール基、又はハロゲン原子を含む］の化合物を含む、請求項４に記載の方法。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
眼内圧亢進に苦しむ患者の眼内圧を低下させるための薬剤の製造におけるプロスタノイドＥＰ２アゴニストの使用であって、前記薬剤は患者の眼の眼窩周囲の皮膚に適用される、ことを特徴とする使用。
【請求項２】
ＥＰ２アゴニストが、３−［（３’−フルオロ−４−フルオロビフェニル−３−カルボニル）アミノ］フェノキシ酢酸イソプロピルエステルである、請求項１に記載の使用。
【請求項３】
３−［（３’−フルオロ−４−フルオロビフェニル−３−カルボニル）アミノ］フェノキシ酢酸イソプロピルエステルを含む薬剤が、眼内圧を効果的に低下させるために、７日毎に一回、患者の各眼の眼窩周囲の皮膚に適用される、請求項１に記載の使用。
【請求項４】
３−［（３’−フルオロ−４−フルオロビフェニル−３−カルボニル）アミノ］フェノキシ酢酸イソプロピルエステルを含む薬剤が、溶液である、請求項２に記載の使用。
【請求項５】
３−［（３’−フルオロ−４−フルオロビフェニル−３−カルボニル）アミノ］フェノキシ酢酸イソプロピルエステルを含む薬剤が、エマルジョンである、請求項２に記載の使用。
【請求項６】
３−［（３’−フルオロ−４−フルオロビフェニル−３−カルボニル）アミノ］フェノキシ酢酸イソプロピルエステルを含む薬剤が、クリームである、請求項２に記載の使用。
【請求項７】
３−［（３’−フルオロ−４−フルオロビフェニル−３−カルボニル）アミノ］フェノキシ酢酸イソプロピルエステルを含む薬剤が、一回投与で最大１４日間にわたって眼内圧亢進を低下させる、請求項２に記載の使用。
【請求項８】
事前に選択される投薬量をおよそ均等に放出するデバイスから、患者の眼窩周囲の皮膚上へと薬剤が投与される、請求項２に記載の使用。
【請求項９】
３−［（３’−フルオロ−４−フルオロビフェニル−３−カルボニル）アミノ］フェノキシ酢酸イソプロピルエステルが、個人の少なくとも１つの眼の眼窩周囲の皮膚に投与される、請求項２に記載の使用。
【請求項１０】
薬剤が、上眼瞼の上、および下眼瞼の下の眼窩周囲の皮膚に投与される、請求項９に記載の使用。
【請求項１１】
緑内障に苦しむ患者の眼内圧を低下させるための薬剤の製造における３−［（３’−フルオロ−４−フルオロビフェニル−３−カルボニル）アミノ］フェノキシ酢酸イソプロピルエステルの使用であって、前記薬剤は患者の眼の眼窩周囲の皮膚に適用される、ことを特徴とする使用。
【請求項１２】
薬剤が、最大５日間にわたって患者の眼窩周囲の皮膚に毎日適用され、その後７日毎に一回適用され、それによって正常なレベルに眼内圧を低下させる、請求項１１に記載の使用。
【請求項１３】
薬剤が、溶液、エマルジョン、分散液、および懸濁液から成る群から選択される組成物の形態である、請求項１１に記載の使用。
【請求項１４】
薬剤が、送達デバイスの使用により眼の眼窩周囲の皮膚に適用され、患者が各眼の眼窩周囲の皮膚に組成物を少なくとも１回適用し、その適用が一回投与を構成する、請求項１１に記載の使用。
【請求項１５】
薬剤が、送達デバイスの使用により眼の眼窩周囲の皮膚に適用され、患者が、各眼の眼窩周囲の皮膚に薬剤を少なくとも２回適用し、その適用が一回投与を構成する、請求項１１に記載の使用。
【請求項１６】
薬剤が、塗り薬、ゲル、ヒドロゲル、有機ゲル、キセロゲル、ローション、ナノコンポジットヒドロゲル、フォーム、および有機溶媒の溶液から成る群から選択される組成物の形態である、請求項１１に記載の使用。
【請求項１７】
薬剤が、最大５日間にわたって患者の眼窩周囲の皮膚に毎日適用され、その後７日毎に一回適用され、それによって正常なレベルに眼内圧を低下させる、請求項１６に記載の使用。
【請求項１８】
薬剤がクリームであり、眼窩周囲の皮膚に適用され、その適用が一回投与を構成する、請求項１７に記載の使用。
【請求項１９】
クリームが、５、６または７日から成る群から選択された日数毎に、夜寝る前に両眼の眼窩周囲の皮膚に適用される、請求項１８に記載の使用。
【請求項２０】
眼内圧亢進に苦しむ患者の眼内圧を正常なレベルまで低下させるための薬剤の製造における３−［（３’−フルオロ−４−フルオロビフェニル−３−カルボニル）アミノ］フェノキシ酢酸イソプロピルエステルの使用であって、前記薬剤は患者の眼の眼窩周囲の皮膚に投与される、ことを特徴とする使用。
【手続補正書】
【提出日】令和1年6月24日(2019.6.24)
【手続補正１】
【補正対象書類名】明細書
【補正対象項目名】０００４
【補正方法】変更
【補正の内容】
【０００４】
ベース本体では、ベルトを駆動するためのギア歯と結合するための１つまたはそれ以上の結合用空間が得られ、知られているように、前記結合用空間は、ベース本体の下面、すなわち、ローラを備える面の反対側の面から接近可能である。
【手続補正２】
【補正対象書類名】明細書
【補正対象項目名】００６３
【補正方法】変更
【補正の内容】
【００６３】
説明の完全性のために、添付の図面では、参照番号２１は、シャフト１７の端をそれぞれの支持体１６に係止するための要素を指示している。
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
構造式Ｉの右旋性エナンチオマーにより表される化合物：
【化１】
2018528196.tif 000001
又はその薬学的に許容できる塩。
【請求項２】
（ａ）請求項１に記載の化合物、又はその薬学的に許容できる塩；及び
（ｂ）薬学的に許容できる担体
を含む医薬組成物。
【請求項３】
癌、神経変性疾患、炎症性疾患、及び自己免疫疾患、又は免疫系疾病から選択される疾患又は障害の治療を必要とする対象における、前記疾患又は障害を治療するための請求項２に記載の医薬組成物。
【請求項４】
前記疾患又は障害が癌である、請求項３に記載の医薬組成物。
【請求項５】
前記癌（ｃａｎｃｅ）がリンパ腫である、請求項４に記載の医薬組成物。
【請求項６】
前記リンパ腫がマントル細胞リンパ腫である、請求項５に記載の医薬組成物。
【請求項７】
前記疾患又は障害が関節炎である、請求項３に記載の医薬組成物。
【請求項８】
前記疾患又は障害が乾癬である、請求項３に記載の医薬組成物。
【請求項９】
前記疾患又は障害が肥満である、請求項３に記載の医薬組成物。
【請求項１０】
前記疾患又は障害が脳卒中である、請求項３に記載の医薬組成物。
【請求項１１】
前記疾患又は障害が外傷性脳損傷である、請求項３に記載の医薬組成物。
【請求項１２】
創傷治癒の促進を必要とする対象における創傷治癒を促進するための請求項２に記載の医薬組成物。
【請求項１３】
前記創傷が、体表創、外科的創傷、内創、慢性創傷、潰瘍、火傷、又は被曝の結果である、請求項１２に記載の医薬組成物。
【請求項１４】
前記創傷が、火傷、切創、開放創、外科的若しくは手術後の創傷、糖尿病性病変、熱傷、化学熱傷、放射線熱傷、褥瘡、床ずれ、又は糖尿病若しくは血行不良に関連した病態から選択される、請求項１２に記載の医薬組成物。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
式:
2018528180.tif 000001
を有する化合物:
式中、
X1およびX2は、同一でも異なっていてもよく、それぞれ水素またはヒドロキシ保護基より選択される。
【請求項２】
X1およびX2がt-ブチルジメチルシリルである、請求項1に記載の化合物。
【請求項３】
X1およびX2が水素である、請求項1に記載の化合物。
【請求項４】
式:
2018528180.tif 000002
を有し、かつ(20S)-1α-ヒドロキシ-2-メチレン-ビタミンD3と呼ばれる、請求項1に記載の化合物。
【請求項５】
式:
2018528180.tif 000003
を有し、かつ1α-ヒドロキシ-2-メチレン-ビタミンD3と呼ばれる、請求項1に記載の化合物。
【請求項６】
式:
2018528180.tif 000004
を有する化合物:
式中、
X1およびX2は、同一でも異なっていてもよく、それぞれ水素またはヒドロキシ保護基より選択される。
【請求項７】
式:
2018528180.tif 000005
を有し、かつ(5E)-1α,25-ジヒドロキシ-2-メチレン-ビタミンD3と呼ばれる、請求項6に記載の化合物。
【請求項８】
有効量の請求項1〜7のいずれか一項に記載の化合物と、薬学的に許容される賦形剤とを含有する、薬学的組成物。
【請求項９】
有効量の請求項1〜7のいずれか一項に記載の化合物を含む、患者において骨疾患または骨障害を処置または予防するための薬学的組成物。
【請求項１０】
有効量の請求項1〜7のいずれか一項に記載の化合物を含む、患者において骨強度を増大させるための薬学的組成物。
【請求項１１】
有効量の請求項1〜7のいずれか一項に記載の化合物を含む、患者において皮膚疾患、皮膚障害、または皮膚状態を処置または予防するための薬学的組成物。
【請求項１２】
有効量の請求項1〜7のいずれか一項に記載の化合物を含む、患者において細胞増殖疾患または細胞増殖障害を処置または予防するための薬学的組成物。
【請求項１３】
有効量の請求項1〜7のいずれか一項に記載の化合物を含む、患者において肥満を処置もしくは予防するための、脂肪細胞分化を阻害するための、SCD-1遺伝子転写を阻害するための、および/または体脂肪を減少させるための薬学的組成物。
【請求項１４】
有効量の請求項1〜7のいずれか一項に記載の化合物を含む、患者において腎性骨異栄養症の二次性副甲状腺機能亢進症を処置するための薬学的組成物。
【手続補正２】
【補正対象書類名】明細書
【補正対象項目名】００２６
【補正方法】変更
【補正の内容】
【００２６】
なおさらなる態様では、本明細書に開示される化合物は、二次性副甲状腺機能亢進症、例えば腎性骨異栄養症の二次性副甲状腺機能亢進症を処置および/または予防するための方法において用いることができる。
[本発明1001]
式:
2018528180.tif 000006
を有する化合物:
式中、
X1およびX2は、同一でも異なっていてもよく、それぞれ水素またはヒドロキシ保護基より選択される。
[本発明1002]
X1およびX2がt-ブチルジメチルシリルである、本発明1001の化合物。
[本発明1003]
X1およびX2が水素である、本発明1001の化合物。
[本発明1004]
式:
2018528180.tif 000007
を有し、かつ1α-ヒドロキシ-2-メチレン-ビタミンD3と呼ばれる、本発明1001の化合物。
[本発明1005]
式:
2018528180.tif 000008
を有し、かつ(20S)-1α-ヒドロキシ-2-メチレン-ビタミンD3と呼ばれる、本発明1001の化合物。
[本発明1006]
有効量の本発明1001の化合物と、薬学的に許容される賦形剤とを含有する、薬学的組成物。
[本発明1007]
それを必要とする患者において骨疾患または骨障害を処置または予防する方法であって、有効量の本発明1001の化合物を該患者に投与する段階を含む、方法。
[本発明1008]
それを必要とする患者において骨強度を増大させるための方法であって、有効量の本発明1001の化合物を該患者に投与する段階を含む、方法。
[本発明1009]
それを必要とする患者において皮膚疾患、皮膚障害、または皮膚状態を処置または予防する方法であって、有効量の本発明1001の化合物を該患者に投与する段階を含む、方法。
[本発明1010]
それを必要とする患者において細胞増殖疾患または細胞増殖障害を処置または予防する方法であって、有効量の本発明1001の化合物を該患者に投与する段階を含む、方法。
[本発明1011]
それを必要とする患者において肥満を処置もしくは予防する、脂肪細胞分化を阻害する、SCD-1遺伝子転写を阻害する、および/または体脂肪を減少させる方法であって、有効量の本発明1001の化合物を該患者に投与する段階を含む、方法。
[本発明1012]
それを必要とする患者において腎性骨異栄養症の二次性副甲状腺機能亢進症を処置する方法であって、有効量の本発明1001の化合物を該患者に投与する段階を含む、方法。
[本発明1013]
式:
2018528180.tif 000009
を有する化合物:
式中、
X1およびX2は、同一でも異なっていてもよく、それぞれ水素またはヒドロキシ保護基より選択される。
[本発明1014]
式:
2018528180.tif 000010
を有し、かつ(5E)-1α,25-ジヒドロキシ-2-メチレン-ビタミンD3と呼ばれる、本発明1013の化合物。
[本発明1015]
有効量の本発明1013の化合物と、薬学的に許容される賦形剤とを含有する、薬学的組成物。
[本発明1016]
それを必要とする患者において骨疾患または骨障害を処置または予防する方法であって、有効量の本発明1013の化合物を該患者に投与する段階を含む、方法。
[本発明1017]
それを必要とする患者において骨強度を増大させるための方法であって、有効量の本発明1013の化合物を該患者に投与する段階を含む、方法。
[本発明1018]
それを必要とする患者において皮膚疾患、皮膚障害、または皮膚状態を処置または予防する方法であって、有効量の本発明1013の化合物を該患者に投与する段階を含む、方法。
[本発明1019]
それを必要とする患者において細胞増殖疾患または細胞増殖障害を処置または予防する方法であって、有効量の本発明1013の化合物を該患者に投与する段階を含む、方法。
[本発明1020]
それを必要とする患者において肥満を処置もしくは予防する、脂肪細胞分化を阻害する、SCD-1遺伝子転写を阻害する、および/または体脂肪を減少させる方法であって、有効量の本発明1013の化合物を該患者に投与する段階を含む、方法。
[本発明1021]
それを必要とする患者において腎性骨異栄養症の二次性副甲状腺機能亢進症を処置する方法であって、有効量の本発明1013の化合物を該患者に投与する段階を含む、方法。